(57)【要約】【課題】容易な操作で文字列を入力する。【解決手段】制御部１１は、メール入力モード時において、ディスプレイ３の操作キー表示領域に重なるタッチパネル４の部分へのタッチ操作により選択された文字情報を編集表示領域に表示するとともに、第１通知領域に時刻情報および位置情報の検出状態を表示し、メール入力モード時に、第１通知領域に重なるタッチパネル４の部分へのタッチ操作が行なわれることによって、時刻表示領域に表示された時刻を編集可能に表示して、編集された時刻を文字情報として編集表示領域に表示させる。【選択図】図２
2015185146.tif 000002
【特許請求の範囲】
【請求項１】
画面を有する表示部と、
前記画面に重ねて設けられ、利用者の操作を受け付けるタッチパネルと、
文字情報の入力モード時において、前記画面内の第１領域に重なる前記タッチパネルの部分へのタッチ操作により選択された前記文字情報を前記画面内の第２領域に表示するとともに、前記画面内の第３領域に前記利用者に通知するための情報を表示するように前記表示部を制御する制御部とを備え、
前記制御部は、前記入力モード時に、前記第３領域に重なる前記タッチパネルの部分への前記タッチ操作が行なわれることによって、前記第３領域に表示された前記情報を、関連する前記文字情報として前記第２領域に表示させる、携帯端末。
【請求項２】
前記第３領域は、時刻情報を表示する時刻表示領域を含み、
前記制御部は、前記入力モード時に前記時刻表示領域に重なる前記タッチパネルの部分への前記タッチ操作が行なわれることによって、前記時刻情報を前記文字情報として前記第２領域に表示させる、請求項１に記載の携帯端末。
【請求項３】
前記携帯端末は、現在地の位置情報を検出する検出装置をさらに備え、
前記第３領域は、前記検出装置による前記位置情報の検出状態を表示する位置表示領域を含み、
前記制御部は、前記入力モード時に前記位置表示領域に重なる前記タッチパネルの部分への前記タッチ操作が行なわれることによって、前記検出装置によって検出された前記現在地の住所を前記文字情報として前記第２領域に表示させる、請求項１または２に記載の携帯端末。
【請求項４】
前記携帯端末は、前記携帯端末の外部機器との通信により天気情報を取得する通信部をさらに備え、
前記第３領域は、前記天気情報を表示する天気表示領域を含み、
前記制御部は、前記入力モード時に前記天気表示領域に重なる前記タッチパネルの部分への前記タッチ操作が行なわれることによって、前記通信部を経由して取得された前記天気情報を前記文字情報として前記第２領域に表示させる、請求項１〜３のいずれかに記載の携帯端末。
【請求項５】
前記第３領域は、所定期間内の複数の日付を日付情報として表示する日付表示領域を含み、
前記制御部は、前記入力モード時に前記日付表示領域に重なる前記タッチパネルの部分への前記タッチ操作が行なわれることによって選択された日付を前記文字情報として前記第２領域に表示させる、請求項１〜４のいずれかに記載の携帯端末。
【請求項６】
前記第３領域は、前記タッチパネルへの所定操作によって前記第１領域および前記第２領域のうちの少なくともいずれかの一部または全部を上書きして表示される領域を含む、請求項１〜５のいずれかに記載の携帯端末。
【請求項７】
画面を有する表示部と、前記画面に重ねて設けられ、利用者の操作を受け付けるタッチパネルとを備える携帯端末の制御方法であって、
文字情報の入力モード時において、前記画面内の第１領域に重なる前記タッチパネルの部分へのタッチ操作により選択された前記文字情報を前記画面内の第２領域に表示するとともに、前記画面内の第３領域に前記利用者に通知するための情報を表示するように前記表示部を制御するステップと、
前記入力モード時に、前記第３領域に重なる前記タッチパネルの部分への前記タッチ操作が行なわれることによって、前記第３領域に表示された前記情報を、関連する前記文字情報として前記第２領域に表示させるステップとを備える、携帯端末の制御方法。
【発明の詳細な説明】
【技術分野】
【０００１】
本発明は、タッチパネルを備えた携帯端末に関し、特に、文字情報の入力を容易にする携帯端末の制御に関する。
【背景技術】
【０００２】
従来、タッチパネルを備えた携帯端末において、タッチパネルを操作することによって送信メール等の作成時に文字情報を入力するものが公知であった（たとえば、特開２０１３−３４１８９号公報（特許文献１）。
【先行技術文献】
【特許文献】
【０００３】
【特許文献１】特開２０１３−３４１８９号公報
【発明の概要】
【発明が解決しようとする課題】
【０００４】
しかしながら、文字情報として、たとえば、「…時…分」の時刻や「…月…日」の日付等の数字と漢字とが組み合わされた文字列を入力する場合には、数字の入力と漢字の入力とで入力する文字情報の種類を切り替えて入力する場合がある。このような場合には、携帯端末の操作が煩雑になるという問題がある。
【０００５】
本発明は、上述した課題を解決するためになされたものであって、その目的は、容易な操作で文字列を入力する携帯端末および携帯端末の制御方法を提供することである。
【課題を解決するための手段】
【０００６】
本発明のある局面に係る携帯端末は、画面を有する表示部と、画面に重ねて設けられ、利用者の操作を受け付けるタッチパネルと、文字情報の入力モード時において、画面内の第１領域に重なるタッチパネルの部分へのタッチ操作により選択された文字情報を画面内の第２領域に表示するとともに、画面内の第３領域に利用者に通知するための情報を表示するように表示部を制御する制御部とを備える。制御部は、入力モード時に、第３領域に重なるタッチパネルの部分へのタッチ操作が行なわれることによって、第３領域に表示された情報を、関連する文字情報として第２領域に表示させる。
【０００７】
好ましくは、第３領域は、時刻情報を表示する時刻表示領域を含む。制御部は、入力モード時に時刻表示領域に重なるタッチパネルの部分へのタッチ操作が行なわれることによって、時刻情報を文字情報として第２領域に表示させる。
【０００８】
さらに好ましくは、携帯端末は、現在地の位置情報を検出する検出装置をさらに備える。第３領域は、検出装置による位置情報の検出状態を表示する位置表示領域を含む。制御部は、入力モード時に位置表示領域に重なるタッチパネルの部分へのタッチ操作が行なわれることによって、検出装置によって検出された現在地の住所を文字情報として第２領域に表示させる。
【０００９】
さらに好ましくは、携帯端末は、携帯端末の外部機器との通信により天気情報を取得する通信部をさらに備える。第３領域は、天気情報を表示する天気表示領域を含む。制御部は、入力モード時に天気表示領域に重なるタッチパネルの部分へのタッチ操作が行なわれることによって、通信部を経由して取得された天気情報を文字情報として第２領域に表示させる。
【００１０】
さらに好ましくは、第３領域は、所定期間内の複数の日付を日付情報として表示する日付表示領域を含む。制御部は、入力モード時に日付表示領域に重なるタッチパネルの部分へのタッチ操作が行なわれることによって選択された日付を文字情報として第２領域に表示させる。
【００１１】
さらに好ましくは、第３領域は、タッチパネルへの所定操作によって第１領域および第２領域のうちの少なくともいずれかの一部または全部を上書きして表示される領域を含む。
【００１２】
この発明の他の局面に係る携帯端末の制御方法は、画面を有する表示部と、画面に重ねて設けられ、利用者の操作を受け付けるタッチパネルとを備える携帯端末の制御方法である。この制御方法は、文字情報の入力モード時において、画面内の第１領域に重なるタッチパネルの部分へのタッチ操作により選択された文字情報を画面内の第２領域に表示するとともに、画面内の第３領域に利用者に通知するための情報を表示するように表示部を制御するステップと、入力モード時に、第３領域に重なるタッチパネルの部分へのタッチ操作が行なわれることによって、第３領域に表示された情報を、関連する文字情報として第２領域に表示させるステップとを備える。
【発明の効果】
【００１３】
この発明によると、第３領域へのタッチ操作により利用者に通知する情報（たとえば、時刻情報、位置情報、天気情報あるいは日付情報等）を文字情報として第２領域に表示させることができるため、第１領域へのタッチ操作によって当該情報を文字情報として第２領域に表示させることに比較して簡易な操作により文字列を入力することができる。したがって、簡易な操作で文字列を入力する携帯端末および携帯端末の制御方法を提供することができる。
【図面の簡単な説明】
【００１４】
【図１】携帯端末の正面図、背面図および右側面図を示す。
【図２】携帯端末の全体構成を示すブロック図である。
【図３】文字情報の入力モード時の画面の構成の一例を示す図である。
【図４】時刻表示領域へのタッチ操作により時刻を入力する制御処理を示すフローチャートである。
【図５】時刻表示領域へのタッチ操作により時刻を入力する動作を説明するための図である。
【図６】位置情報の検出状態を示す表示領域へのタッチ操作により位置情報を入力する制御処理を示すフローチャートである。
【図７】位置情報の検出状態を示す表示領域へのタッチ操作により位置情報を入力する動作を説明するための図である。
【図８】メール受信者の端末の動作を説明するための図である。
【図９】天気表示領域あるいは日付表示領域へのタッチ操作により天気情報あるいは日付情報を入力する制御処理を示すフローチャートである。
【図１０】天気表示領域へのタッチ操作により天気情報を入力する動作を説明するための図である。
【図１１】日付表示領域へのタッチ操作により日付情報を入力する動作を説明するための図である。
【図１２】第２通知領域の構成を示す図である。
【図１３】第２通知領域に表示されるメール用アイコンへのタッチ操作により各種情報を入力する制御処理を示すフローチャートである。
【図１４】時計アイコンへのタッチ操作により時刻情報を入力する動作を説明するための図である。
【図１５】カメラアイコンへのタッチ操作後に撮影された画像データを添付ファイルに設定する動作を説明するための図である。
【図１６】ＧＰＳアイコンへのタッチ操作により位置情報を入力する動作を説明するための図である。
【図１７】カレンダーアイコンへのタッチ操作により日付情報を入力する動作を説明するための図である。
【発明を実施するための形態】
【００１５】
以下、図面を参照しつつ、本発明の実施の形態について説明する。以下の説明では、同一の部品には同一の符号が付されている。それらの名称および機能も同じである。したがってそれらについての詳細な説明は繰返されない。
【００１６】
図１（Ａ）〜（Ｃ）は、それぞれ、携帯端末１の正面図、背面図および右側面図を示す。以下の説明においては、図１（Ａ）〜（Ｃ）に示すように、キャビネット２の長手方向を上下方向と定義し、キャビネット２の短手方向を左右方向と定義する。
【００１７】
本実施の形態において、携帯端末１としてタッチパネル等の入力インタフェースを有するスマートフォン端末等の携帯電話機を一例として説明するが、携帯端末１としては、少なくとも文章を作成するアプリケーションプログラムを備えた携帯端末であればよく、たとえば、通話機能や通信機能を有しない携帯端末であってもよい。
【００１８】
図１に示すように、携帯端末１は、キャビネット２と、ディスプレイ３と、タッチパネル４と、マイクロフォン５と、通話スピーカ６とを含む。
【００１９】
図１（Ａ）に示すように、キャビネット２は、正面から見て、ほぼ長方形の輪郭を有する。キャビネット２の正面側に、ディスプレイ３が配されている。ディスプレイ３には、各種の画像が画面に表示される。ディスプレイ３は、たとえば、ＬＣＤ（Liquid  Crystal  Display）である。ディスプレイ３は、有機ＥＬ（Electro-Luminescence）ディスプレイ等や他の種類のディスプレイであってもよい。
【００２０】
図１（Ｂ）に示すように、キャビネット２の背面側に、カメラ７が配されている。また、図１（Ｃ）に示すように、ディスプレイ３の前面にはタッチパネル４が重ねられる。そのため、ディスプレイ３は、タッチパネル４によって覆われる。タッチパネル４は、透明なシート状に形成されている。タッチパネル４として、静電容量式、超音波式、感圧式、抵抗膜式、光検知式等、各種方式のタッチパネルが用いられ得る。
【００２１】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザ（利用者）が発した発話音声がマイクロフォン５に入力される。なお、音は、音声、報知音等、様々な音を含む。
【００２２】
図２は、携帯端末１の全体構成を示すブロック図である。図２に示されるように、携帯端末１は、制御部１１と、記憶部１２と、ＧＰＳ（Global  Positioning  System）信号検出装置１３と、音声処理部１７と、キー入力部１８と、通信部１９とをさらに含む。
【００２３】
記憶部１２は、ＲＯＭ（Read  Only  Memory）、ＲＡＭ（Random  Access  Memory）、および、外部メモリを含む。記憶部１２には、各種のプログラムが記憶されている。記憶部１２に記憶されるプログラムは、携帯端末１の各部を制御するための制御プログラムの他、各種アプリケーション（たとえば、ホーム、電話、電子メール、ウェブブラウザ、地図、ゲーム、スケジュール管理、等）を含む。プログラムは、メーカによって携帯端末１の製造時に記憶部１２に記憶される他、通信網やメモリカード、ＣＤ−ＲＯＭ等の記憶媒体を介して記憶部１２に記憶される。
【００２４】
記憶部１２には、プログラムの実行の際、一時的に利用または生成されるデータを記憶するワーキング領域も含まれる。
【００２５】
制御部１１は、ＣＰＵ（Central  Processing  Unit）を含む。制御部１１は、記憶部１２に記憶されたプログラムに従って、携帯端末１を構成する各部（ディスプレイ３、記憶部１２、音声処理部１７、通信部１９等）を制御する。
【００２６】
制御部１１は、表示制御信号をディスプレイ３に出力して、ディスプレイ３の画面に画像を表示させる。また、制御部１１は、カメラ制御信号をカメラ７に出力して、カメラ７を制御するとともに、カメラ７から取得される画像データを記憶部１２に記憶させる。
【００２７】
タッチパネル４は、タッチパネル４へのユーザによるタッチ操作を検出して、検出結果を制御部１１に出力する。具体的には、タッチパネル４は、タッチパネル４上におけるユーザが触れた位置（以下、「タッチ位置」と記載する）を検出する。タッチパネル４は、検出したタッチ位置を示す位置信号を検出結果として制御部１１に出力する。
【００２８】
ユーザは、タッチパネル４を用いて様々なタッチ操作を行うことができる。タッチ操作は、たとえば、タップ操作、フリック操作、スライド操作等を含む。タップ操作とは、ユーザがタッチパネル４に指を接触させた後、短時間のうちに指をタッチパネル４から離す操作である。フリック操作とは、ユーザがタッチパネル４に指を接触させた後、タッチパネル４を指で任意の方向に弾く操作である。スライド操作とは、ユーザがタッチパネル４に指を接触させたまま、任意の方向へ指を移動させる操作である。制御部１１は、タッチパネル４からの位置信号の変化の態様に基づいてどのようなタッチ操作が行なわれたかを特定する。
【００２９】
制御部１１は、たとえば、タッチ位置が検出されてから予め定められた第１時間以内にタッチ位置が検出されなくなると、タップ操作が行なわれたと判定する。また、制御部１１は、たとえば、タッチ位置が検出されてから予め定められた第２時間以内に予め定められた第１距離以上タッチ位置が移動した後、タッチ位置が検出されなくなると、フリック操作が行なわれたと判定する。あるいは、制御部１１は、タッチ位置が検出された後、予め定めた第２距離以上タッチ位置が移動した後、タッチ位置の検出が継続すると、スライド操作が行なわれたと判定する。
【００３０】
ＧＰＳ信号検出装置１３は、ＧＰＳ衛星からの電波（ＧＰＳ信号）を受信（検出）して、制御部１１に受信したＧＰＳ信号を出力する。制御部１１は、ＧＰＳ信号に基づいて、携帯端末１の現在位置を算出する。なお、制御部１１は、ＧＰＳ信号に加えて、周辺の１個以上の基地局からの位置情報に基づいて携帯端末１の現在位置を算出してもよい。
【００３１】
マイクロフォン５に音声等の音が入力されるとマイクロフォン５から入力された音を示す電気信号が音声処理部１７に出力される。また、通話スピーカ６は、音声処理部１７から入力される電気信号に基づいて音声等の音を出力する。
【００３２】
音声処理部１７は、マイクロフォン５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を通話スピーカ６に出力する。
【００３３】
キー入力部１８は、少なくとも１つ以上のハードキーを含む。たとえば、キー入力部１８は、携帯端末１に電源を投入するための電源キー等を含む。キー入力部１８は、押下されたハードキーに対応する信号を制御部１１に出力する。
【００３４】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００３５】
以上のような構成を有する携帯端末１において、たとえば、電子メールの送受信を行なうアプリケーションプログラム（以下、メールアプリと記載する）の起動中に、ユーザにより送信メールが作成される場合がある。
【００３６】
この場合、ユーザはタッチパネル４の所定領域（以下、第１領域と記載する）へのタッチ操作により文字情報を選択する。制御部１１は、タッチパネル４によるタッチ位置の検出結果に基づいてユーザによって選択された文字情報を特定し、ディスプレイ３の画面内の所定領域（以下、第２領域と記載する）に選択された文字情報を表示する。
【００３７】
文字情報は、たとえば、アルファベット、ひらがなおよびカタカナなどの各種文字、各種記号、各種数字、その他の言語で用いられる各種文字、絵文字および顔文字等を含む。
【００３８】
文字情報の入力モード時における携帯端末１の画面の構成としては、たとえば、図３（Ａ）に示すように、画面内の下部に矩形の操作キー表示領域４Ａが設けられ、操作キー表示領域４Ａよりも上側に操作キー表示領域４Ａと異なる位置に矩形の編集表示領域４Ｂが設けられる。また、画面の最上部には、帯状の第１通知領域４Ｃが設けられる。
【００３９】
また、入力モード時であっても、ユーザがタッチパネル４に対して所定操作を行なうことによって、図３（Ｂ）に示すように、第２通知領域４Ｄが表示される。制御部１１は、所定操作が行なわれた場合に、操作キー表示領域４Ａおよび編集表示領域４Ｂの一部または全部に第２通知領域４Ｄを上書きして表示する。
【００４０】
所定操作とは、たとえば、所定の位置（たとえば、タッチパネル４の上部）から所定方向（たとえば、下側）へのフリック操作である。なお、所定の位置は、タッチパネル４の下部であってもよいし、横側であってもよいし、タッチパネル４の中心付近の位置であってもよい。所定方向は、所定の位置がタッチパネル４の外縁付近である場合には、タッチパネル４の中心に向かう方向であってもよいし、所定の位置がタッチパネル４の中心付近の位置である場合には、中心付近から外縁付近に向かう方向であってもよい。なお、所定操作は、タッチ操作に限定されるものではなく、たとえば、ボタン等のハードキーへの操作であってもよい。
【００４１】
画面の操作キー表示領域内には、たとえば、キーボードと同様の配列の複数の操作キーの画像が表示されるようにしてもよいし、あるいは、携帯電話機の文字情報を選択するためのハードキーと同様の配列の複数の操作キーの画像が表示されるようにしてもよい。複数の操作キーの画像の各々には、１つ以上の種類の文字が対応づけられている。そのため、制御部１１は、タッチパネル４によって検出されたタッチ位置が複数の操作キーの画像のうちのいずれかの位置である場合には、タッチ位置に対応する操作キーの画像に対応づけられた文字を選択された文字として特定する。なお、１つの操作キーの画像に対して複数の種類の文字が対応づけられている場合は、制御部１１は、当該操作キーの画像に対してユーザがタップ操作を行なう回数や、当該キーの画像の表示位置を起点としたスライド操作あるいはフリック操作が行なわれた場合の方向等によって選択された文字を特定する。複数の操作キーには、たとえば、アルファベットを入力するモードと、ひらがなを入力するモードと、カタカナを入力するモードと、記号や数字を入力するモードとのうちのいずれかのモードを選択するための選択キーが含まれる。制御部１１は、タッチ位置が選択キーの画像の位置である場合には、上述の複数の入力モードのうちのいずれかの入力モードを選択する。
【００４２】
編集表示領域４Ｂには、操作キー表示領域へのタッチ操作によってユーザにより選択された文字情報が表示される。これにより、ユーザは、作成中の送信メールの文の内容を認識することができる。
【００４３】
第１通知領域４Ｃおよび第２通知領域４Ｄには、時刻情報、位置情報の検出状態、天気情報および日付情報のうちの少なくともいずれかが表示される。本実施の形態において、たとえば、第１通知領域４Ｃには、時刻情報と位置情報の検出状態とが表示されるものとして説明する。また、第２通知領域４Ｄには、少なくとも天気情報と日付情報とが表示されるものとして説明する。
【００４４】
時刻情報は、たとえば、現在時刻を示す情報である。時刻情報は、たとえば、デジタル時計と同様の表示形式で表示されていてもよいし、アナログ時計と同様の表示形式で表示されていてもよい。制御部１１は、たとえば、内蔵するタイマー等を用いて計時して、第１通知領域４Ｃのうちの所定領域（以下、時刻表示領域と記載する）に表示された時刻を所定時間毎（たとえば、１分毎）に更新する。
【００４５】
位置情報の検出状態は、ＧＰＳ信号検出装置１３が作動状態である場合に所定形状のＧＰＳアイコンが表示された状態となり、ＧＰＳ信号検出装置１３が作動状態でない場合に当該ＧＰＳアイコンが非表示となる状態である。制御部１１は、たとえば、ＧＰＳを用いた位置情報の取得を行なう場合には、ＧＰＳアイコンを第１通知領域４Ｃの所定領域（以下、検出状態表示領域と記載する）に表示させる。
【００４６】
天気情報は、たとえば、天気予報と降水確率とを含む情報である。天気情報は、たとえば、天気予報を太陽、雲、傘を示す画像を用いて表し、降水確率を百分率で表す。制御部１１は、たとえば、所定期間経過毎に、通信部１９を経由して携帯端末１の外部機器（サーバ）から受信した現在地あるいはユーザにより登録された地域の天気情報を取得し、記憶部１２に記憶させる。制御部１１は、ユーザの所定操作により第２通知領域４Ｄを非表示から表示に切り替える際に、記憶部１２に記憶された天気情報を読出して第２通知領域４Ｄの所定領域（以下、天気表示領域と記載する）に表示させる。
【００４７】
日付情報は、たとえば、現在の月日を示す情報である。日付情報は、たとえば、カレンダーと同様の表示形式で表示され、現在の月日に対応する数字の表示態様（太字、あるいは背景色等）が変更されて表示される。制御部１１は、ユーザの所定操作により第２通知領域４Ｄを非表示から表示に切り替える際に、第２通知領域４Ｄの所定領域（以下、日付表示領域と記載する）に日付情報をカレンダーと同様の表示形式で表示させる。
【００４８】
このような構成を有する携帯端末１において、たとえば、入力モードにおいて、文字情報として、たとえば、「…時…分」の時刻や「…月…日」の日付等の数字と漢字とが組み合わされた文字列を入力する場合には、数字の入力と漢字の入力とで入力する文字情報の種類を切り替えて入力する場合があるため、携帯端末１の操作が煩雑になる場合がある。
【００４９】
そこで、本実施の形態においては、制御部１１が、文字情報の入力モード時に、第１通知領域４Ｃまたは第２通知領域４Ｄに重なるタッチパネル４の部分へのタッチ操作が行なわれることによって、第１通知領域４Ｃまたは第２通知領域４Ｄに表示されたユーザに通知する情報（時刻情報、位置情報、天気情報および日付情報のうちの少なくともいずれかに関連する情報）を、関連する文字情報として編集表示領域４Ｂに表示させる点を特徴とする。
【００５０】
具体的には、制御部１１は、入力モード時に時刻表示領域に重なるタッチパネル４の部分へのタッチ操作が行なわれることによって、時刻情報を編集可能に表示し、編集された時刻情報を文字情報として編集表示領域４Ｂに表示させる。
【００５１】
また、制御部１１は、入力モード時に検出状態表示領域に重なるタッチパネル４の部分へのタッチ操作が行なわれることによって、ＧＰＳ信号検出装置１３によって検出された現在地の住所を文字情報として編集表示領域４Ｂに表示させる。
【００５２】
さらに、制御部１１は、入力モード時に天気表示領域に重なるタッチパネル４の部分へのタッチ操作が行なわれることによって、天気情報を文字情報として編集表示領域４Ｂに表示させる。
【００５３】
さらに、制御部１１は、入力モード時に日付表示領域に重なるタッチパネル４の部分へのタッチ操作が行なわれることによって、タッチ位置に対応する日付を文字情報として編集表示領域４Ｂに表示させる。
【００５４】
図４を参照して、本実施の形態に係る携帯端末１の制御部１１で実行される、時刻表示領域へのタッチ操作により時刻情報を編集表示領域４Ｂに表示させる制御処理について説明する。
【００５５】
ステップ（以下、ステップをＳと記載する）１００にて、制御部１１は、メールアプリの入力モード（以下、メール入力モードと記載する）であるか否かを判定する。制御部１１は、たとえば、送信メールを作成するためのタッチ操作が行なわれて図３（Ａ）で示した操作キー表示領域と、編集表示領域４Ｂとが形成される画面の構成となる場合にメール入力モードに対応するフラグをオン状態にする。制御部１１は、当該フラグの状態がオン状態である場合に、メール入力モードであると判定する。メール入力モードであると判定された場合（Ｓ１００にてＹＥＳ）、処理はＳ１０２に移される。もしそうでない場合（Ｓ１００にてＮＯ）、処理はＳ１００に戻される。
【００５６】
Ｓ１０２にて、制御部１１は、時刻表示領域に対してタップ操作が行なわれたか否かを判定する。時刻表示領域に対してタップ操作が行なわれた場合（Ｓ１０２にてＹＥＳ）、処理はＳ１０４に移される。もしそうでない場合（Ｓ１０２にてＮＯ）、処理はＳ１０２に戻される。
【００５７】
Ｓ１０４にて、制御部１１は、時刻情報を編集可能に表示し、ユーザの操作を受け付ける設定画面表示処理を実行する。このとき、制御部１１は、操作キー表示領域および編集表示領域４Ｂの一部に重複する位置に時刻設定画像を表示させる。
【００５８】
時刻設定画像においては、矩形枠内に、「:」を中心としてその左側に「…時」に対応する３つの連続する数字を表す画像が縦方向に配置され、その右側に「…分」に対応する３つの連続する数字を表す画像が縦方向に配置される（図５（Ｂ）参照）。
【００５９】
たとえば、ユーザが「…時」に対応する数字を表す画像をタッチ操作（たとえば、スライド操作やフリック操作）すると、３つの数字を表す画像がユーザの指の動きに対応する方向に移動し、表示される３つの数字の組み合わせが変更される。
【００６０】
たとえば、「…時」に対応する数字として、「１５」、「１６」および「１７」の順で数字が配置された状態であるものとする。このときユーザがこれらの数字を示す画像の表示領域内で下方向にスライド操作あるいはフリック操作を行なう場合を想定する。この場合、「１５」、「１６」および「１７」の各画像が下方向に移動させられ、その後に「１７」の画像が消去され、「１５」の画像の上に「１４」の画像が新たに出現することにより、表示領域内に表示される３つの数字を表す画像の組み合わせが変更される。
【００６１】
制御部１１は、数字が移動する過程において、「１４」の画像および「１７」の画像の矩形枠内の部分の画像を描画し、「１４」の画像および「１７」の画像の矩形枠外の部分の画像を消去する。
【００６２】
ユーザが３つの数字を示す表示領域内で上方向にスライド操作あるいはフリック操作を行なう場合には、「１５」、「１６」および「１７」の各画像が上方向に移動させられ、その後に「１５」の画像が消去され、「１７」の画像の下側に「１８」の画像が新たに出現することにより、表示領域内に表示される３つの数字を表す画像の組み合わせが変更される。
【００６３】
制御部１１は、「…時」に対応する複数の数字「１」〜「２４」のうちの連続する３つの数字を縦方向に配置し、ユーザのスライド操作あるいはフリック操作によってその３つの数字の組み合わせを変更して表示する。なお、「…時」に対応する複数の数字は、「１」〜「１２」であってもよい。
【００６４】
同様に、制御部１１は、「…分」に対応する複数の数字「００」〜「５９」のうちの連続する３つの数字を縦方向に配置し、ユーザのスライド操作あるいはフリック操作によってその３つの数字の組み合わせを変更して表示する。
【００６５】
なお、「…分」に対応する複数の数字は、１分毎の数字に代えて、５分毎あるいは１０分毎の数字であってもよい。
【００６６】
このように構成される時刻設定画像において、ユーザは、矩形枠内に表示された「…時」に対応する３つの数字の表示位置のうちの縦方向中央の数字が所望の数字になるように上述したスライド操作あるいはフリック操作を行なう。
【００６７】
同様に、ユーザは、矩形枠内に表示された「…分」に対応する３つの数字の表示位置のうちの縦方向中央の数字が所望の数字になるように上述したスライド操作あるいはフリック操作を行なう。
【００６８】
Ｓ１０６にて、制御部１１は、時刻の入力が完了したか否かを判定する。制御部１１は、たとえば、上述の時刻設定画像内の「ＯＫ」の文字列を含む画像（図５（Ｂ）参照）の表示領域に対してタップ操作が行なわれた場合に、時刻の入力が完了したと判定する。時刻の入力が完了したと判定された場合（Ｓ１０６にてＹＥＳ）、処理はＳ１０８に移される。もしそうでない場合（Ｓ１０６にてＮＯ）、処理はＳ１０６に戻される。
【００６９】
Ｓ１０８にて、制御部１１は、入力時刻特定処理を実行する。具体的には、制御部１１は、時刻の入力が完了したと判定された時点の「…時」に対応する３つの数字を表す画像のうちの縦方向中央の数字と、「…分」に対応する３つの数字を表す画像のうちの縦方向中央の数字とを特定し、特定された数字からユーザが選択した時刻を特定する。
【００７０】
たとえば、「…時」に対応する縦方向中央の数字が「１０」であって、かつ、「…分」に対応する縦方向中央の数字が「３０」である場合には、ユーザが選択した時刻が「１０時３０分」であると特定される。
【００７１】
Ｓ１１０にて、制御部１１は、時刻入力処理を実行する。具体的には、制御部１１は、入力時刻特定処理において特定された時刻を所定の形式で編集表示領域４Ｂに表示させる。所定の形式とは、たとえば、「…時…分」という形式であるものとして説明するが、編集表示領域４Ｂに表示させる時刻情報としては、時分に加えて月日や年号を付加した形式であってもよい。
【００７２】
以上のように説明した制御処理に基づく時刻表示領域へのタッチ操作により時刻を入力する動作について図５を参照しつつ説明する。
【００７３】
たとえば、ユーザが送信メールを作成する場合を想定する（Ｓ１００にてＹＥＳ）。図５（Ａ）に示すように、第１通知領域４Ｃの時刻表示領域に対してユーザがタップ操作を行なうと（Ｓ１０２にてＹＥＳ）、図５（Ｂ）に示すように、時刻設定画像が表示される。
【００７４】
ユーザは、時刻設定画像の矩形枠内の「…時」に対応する３つの数字の表示領域内でスライド操作あるいはフリック操作を行なうことにより、「…時」に対応する数字としてたとえば「１０」を選択したものとする。
【００７５】
また、ユーザは、時刻設定画像の矩形枠内の「…分」に対応する３つの数字の表示領域でスライド操作あるいはフリック操作を行なうことにより、「…分」に対応する数字として「３０」を選択したものとする。
【００７６】
図５（Ｃ）に示すように、ユーザが「ＯＫ」の文字列を示す画像に対してタップ操作を行なうことにより、時刻の入力が完了したと判定され（Ｓ１０６にてＹＥＳ）、「…時」および「…分」の各々に対応する縦方向中央の数字が特定され、特定された数字によって時刻が特定される（Ｓ１０８）。そして、図５（Ｄ）に示すように、特定された時刻「１０時３０分」が編集表示領域４Ｂに文字情報として表示される（Ｓ１１０）。
【００７７】
次に図６を参照して、本実施の形態に係る携帯端末１の制御部１１で実行される、検出状態表示領域へのタッチ操作により位置情報を文字情報として編集表示領域４Ｂに表示させる制御処理について説明する。
【００７８】
Ｓ２００にて、制御部１１は、メール入力モードであるか否かを判定する。メール入力モードであると判定される場合には（Ｓ２００にてＹＥＳ）、処理はＳ２０２に移される。もしそうでない場合には（Ｓ２００にてＮＯ）、処理はＳ２００に戻される。
【００７９】
Ｓ２０２にて、制御部１１は、ＧＰＳアイコンの表示領域に対してタップ操作が行なわれたか否かを判定する。ＧＰＳアイコンの表示領域に対してタップ操作が行なわれた場合（Ｓ２０２にてＹＥＳ）、処理はＳ２０４に移される。もしそうでない場合（Ｓ２０２にてＮＯ）、処理はＳ２０２に戻される。
【００８０】
Ｓ２０４にて、制御部１１は、住所特定処理を実行する。具体的には、制御部１１は、ＧＰＳ信号の受信により携帯端末１の現在地を示す情報を取得する。現在地を示す情報は、たとえば、緯度や経度によるものであってもよい。制御部１１は、現在地を示す情報と、メモリ等に記憶された情報から現在地の住所を特定してもよいし、あるいは、現在地を示す情報を携帯端末１の外部のサーバに送信して、現在地を示す情報に対応する住所を示す情報を受信することによって現在地の住所を特定してもよい。
【００８１】
Ｓ２０６にて、制御部１１は、住所入力処理を実行する。具体的には、制御部１１は、特定された現在地の住所を所定の形式で編集表示領域４Ｂに文字情報として表示させる。
【００８２】
所定の形式とは、たとえば、都道府県、市区町村および番地等のうちの少なくともいずれかを含む形式である。また、制御部１１は、住所入力処理の実行時において、特定された住所と、地図を画面に表示させるアプリケーションプログラム（以下、地図アプリと記載する）とのリンク情報を含める。リンク情報は、地図アプリの地図上に、特定された住所に対応する位置を表示させるための情報である。
【００８３】
以上のように説明した制御処理に基づく検出状態表示領域へのタッチ操作により住所を入力する動作について図７を参照しつつ説明する。
【００８４】
たとえば、ユーザが送信メールを作成する場合を想定する（Ｓ２００にてＹＥＳ）。図７（Ａ）に示すように、第１通知領域４Ｃの検出状態表示領域に対してユーザがタップ操作を行なうと（Ｓ２０２にてＹＥＳ）、ＧＰＳ信号に基づいて携帯端末１の現在地を示す住所が特定される（Ｓ２０４）。そして、図７（Ｂ）に示すように、特定された現在地の住所が編集表示領域４Ｂに文字情報として表示される。
【００８５】
なお、文字情報には、特定された住所と地図アプリとのリンク情報が含まれる。そのため、当該文字情報を含むメールを受信した受信者が、図８（Ａ）に示すように、受信メール中に含まれる住所に対してタップ操作を行なうことによって、図８（Ｂ）に示すように、地図アプリが起動し、地図上に受信メールに含まれる住所に対応する位置が表示される。
【００８６】
次に図９を参照して、本実施の形態に係る携帯端末１の制御部１１で実行される、第２通知領域４Ｄの天気表示領域あるいは日付表示領域へのタッチ操作により天気情報あるいは日付情報を文字情報として編集表示領域４Ｂに表示させる制御処理について説明する。  
【００８７】
Ｓ３００にて、制御部１１は、メール入力モードであるか否かを判定する。メール入力モードである場合（Ｓ３００にてＹＥＳ）、処理はＳ３０２に移される。もしそうでない場合（Ｓ３００にてＮＯ）、処理はＳ３００に戻される。
【００８８】
Ｓ３０２にて、制御部１１は、第２通知領域４Ｄが表示中であるか否かを判定する。制御部１１は、図３（Ａ）に示すように、操作キー表示領域４Ａと、編集表示領域４Ｂ、第１通知領域４Ｃとが表示されている状態で、ユーザが画面上部に対して下方向のフリック操作を行なうことによって図３（Ｂ）に示すように、第２通知領域４Ｄが表示された場合に、フラグをオン状態にする。制御部１１は、当該フラグがオン状態である場合に、第２通知領域４Ｄが表示中であると判定する。第２通知領域４Ｄが表示中である場合（Ｓ３０２にてＹＥＳ）、処理はＳ３０４に移される。もしそうでない場合（Ｓ３０２にてＮＯ）、処理はＳ３０２に戻される。
【００８９】
Ｓ３０４にて、制御部１１は、天気表示領域に対してタップ操作が行なわれたか否かを判定する。天気表示領域に対してタップ操作が行なわれた場合（Ｓ３０４にてＹＥＳ）、処理はＳ３０６に移される。もしそうでない場合（Ｓ３０４にてＮＯ）、処理はＳ３０８に移される。
【００９０】
Ｓ３０６にて、制御部１１は、天気情報入力処理を実行する。具体的には、制御部１１は、天気情報を所定の形式で編集表示領域４Ｂに表示させる。
【００９１】
所定の形式とは、たとえば、天気予報の部分（たとえば、「くもりのち雨」等）と、降水確率の部分（たとえば、「８０％」等）とを含む形式である。所定の形式は、これらの情報に加えて、予報の対象となる地名を含める形式であってもよい。
【００９２】
Ｓ３０８にて、制御部１１は、日付表示領域に対してタップ操作が行なわれたか否かを判定する。日付表示領域に対してタップ操作が行なわれた場合（Ｓ３０８にてＹＥＳ）、処理はＳ３１０に移される。もしそうでない場合（Ｓ３０８にてＮＯ）、処理はＳ３０２に戻される。
【００９３】
Ｓ３１０にて、制御部１１は、日付情報入力処理を実行する。具体的には、制御部１１は、タップ位置に対応した日付を特定して、特定された日付を所定の形式で文字情報として編集表示領域４Ｂに表示させる。所定の形式とは、たとえば、月日に曜日に関する情報を加えた「…月…日（…）」を含む形式である。所定の形式は、これらの情報に加えて、年号等を含める形式であってもよい。
【００９４】
以上のように説明した制御処理に基づく天気表示領域あるいは日付表示領域へのタッチ操作により天気情報あるいは日付情報を入力する動作について図１０および図１１を参照しつつ説明する。
【００９５】
たとえば、ユーザが送信メールを作成する場合を想定する（Ｓ３００にてＹＥＳ）。図１０（Ａ）に示すように、ユーザが画面上部において下方向のフリック操作を行なうことによって第２通知領域４Ｄが表示される（Ｓ３０２にてＹＥＳ）。
【００９６】
図１０（Ｂ）に示すように、ユーザが第２通知領域４Ｄ内の天気表示領域に対してタップ操作を行なうと（Ｓ３０４にてＹＥＳ）、天気情報入力処理が実行される（Ｓ３０６）。天気情報入力処理によって、図１０（Ｃ）に示すように、天気情報が所定の形式で文字情報として編集表示領域４Ｂに表示される。
【００９７】
一方、図１１（Ａ）に示すように、ユーザが画面上部おいて下方向のフリック操作を行なうことによって第２通知領域４Ｄが表示された後に（Ｓ３０２にてＹＥＳ）、図１１（Ｂ）に示すように、第２通知領域４Ｄ内の日付表示領域に対してタップ操作が行なわれると（Ｓ３０４にてＮＯ、Ｓ３０８にてＹＥＳ）、日付情報入力処理が実行される（Ｓ３１０）。日付情報入力処理によって、図１１（Ｃ）に示すように、日付情報が所定の形式で文字情報として編集表示領域４Ｂに表示される。
【００９８】
以上のようにして、本実施の形態に係る携帯端末１によると、第１通知領域４Ｃあるいは第２通知領域４Ｄへのタッチ操作により時刻情報、位置情報、天気情報および日付情報のうちの少なくともいずれかの情報を文字情報として編集表示領域４Ｂに表示させることができるため、操作キー表示領域４Ａへのタッチ操作によって情報を文字情報として編集表示領域４Ｂに表示させることに比較して簡易な操作により文字列を入力することができる。したがって、簡易な操作で文字列を入力する携帯端末および携帯端末の制御方法を提供することができる。
【００９９】
より具体的には、第１通知領域４Ｃの時刻表示領域に対してタッチ操作が行なわれることによって、時刻情報を編集可能に表示し、編集された時刻情報を文字情報として編集表示領域４Ｂに表示させるので、ユーザは、所望する時刻を数字と漢字と入力モードを切り替えながら入力する必要がなくなるため、簡易な操作により時刻を示す文字列を入力することができる。
【０１００】
同様に、第１通知領域４Ｃの検出状態表示領域に対してタッチ操作が行なわれることによって、ＧＰＳ信号検出装置１３によって検出された現在地の住所を文字情報として編集表示領域４Ｂに表示させるので、ユーザは、現在地の住所を操作キー表示領域４Ａに対するタッチ操作によって入力する必要がなくなるため、簡易な操作により住所を示す文字列を入力することができる。
【０１０１】
さらに、第２通知領域４Ｄの天気表示領域または日付表示領域に対してタッチ操作が行なわれることによって、天気情報または日付情報を編集表示領域４Ｂに表示させるので、ユーザは、天気情報および日付情報を操作キー表示領域４Ａに対するタッチ操作によって入力する必要がなくなるため、簡易な操作により天気情報または日付情報を示す文字列を入力することができる。
【０１０２】
以下変形例について説明する。本実施の形態においては、第２通知領域４Ｄとして、天気表示領域と日付表示領域とが表示されるものとして説明したが、たとえば、図１２（Ａ）に示すように編集表示領域４Ｂと、操作キー表示領域４Ａが表示された、メール入力モード時において、画面の上部を縦方向下側にフリック操作あるいはスライド操作されると、図１２（Ｂ）に示すように、時刻入力用の時計アイコンと、カメラ起動用のカメラアイコンと、位置情報入力用のＧＰＳアイコンと、日付入力用のカレンダーアイコンとが第２通知領域４Ｄに表示されるようにしてもよい。
【０１０３】
制御部１１は、たとえば、時計アイコンに対してタップ操作が行なわれると、時刻設定画像を表示させるようにしてもよい。制御部１１は、時刻設定画像において時刻が選択され、「ＯＫ」の文字列を表示する画像に対してタップ操作が行なわれると、選択された時刻を特定し、特定された時刻を編集表示領域４Ｂに所定の形式で表示する。
【０１０４】
制御部１１は、たとえば、カメラアイコンに対してタップ操作が行なわれると、カメラ制御用アプリケーションプログラム（以下の説明においては、カメラアプリと記載する）を起動させるようにしてもよい。制御部１１は、撮影後にカメラアプリが終了されると、撮影した画像データを送信メールの添付ファイルとして設定する。
【０１０５】
制御部１１は、たとえば、ＧＰＳアイコンに対してタップ操作が行なわれると、携帯端末１の現在地の位置情報を取得し、取得された位置情報に基づいて住所を特定し、特定された住所を編集表示領域４Ｂに所定の形式で表示する。
【０１０６】
制御部１１は、たとえば、カレンダーアイコンに対してタップ操作が行なわれると、カレンダーを表示させるアプリケーションプログラム（以下、カレンダーアプリと記載する）を起動させるようにしてもよい。制御部１１は、表示されたカレンダーに対してさらにタップ操作が行なわれると、タッチ位置に対応する日付を特定し、特定された日付を編集表示領域４Ｂに所定の形式で表示する。
【０１０７】
図１３を参照して、タップ操作されたアイコンの種類に応じた文字情報を編集表示領域に表示させる制御処理の一例を説明する。
【０１０８】
Ｓ５００にて、制御部１１は、メール入力モードであるか否かを判定する。メール入力モードであると判定された場合（Ｓ５００にてＹＥＳ）、処理は５０２に移される。もしそうでない場合（５００にてＮＯ）、処理はＳ５０２に戻される。
【０１０９】
Ｓ５０２にて、制御部１１は、第２通知領域４Ｄが表示中であるか否かを判定する。第２通知領域４Ｄが表示中である場合には（Ｓ５０２にてＹＥＳ）、処理はＳ５０４に移される。もしそうでない場合（Ｓ５０２にてＮＯ）、処理はＳ５０２に戻される。
【０１１０】
Ｓ５０４にて、制御部１１は、ＧＰＳアイコンに対したタップ操作が行なわれたか否かを判定する。ＧＰＳアイコンに対してタップ操作が行なわれたと判定された場合（Ｓ５０４にてＹＥＳ）、処理はＳ５０６に移される。もしそうでない場合（Ｓ５０４にてＮＯ）、処理はＳ５１０に移される。
【０１１１】
Ｓ５０６にて、制御部１１は、住所特定処理を実行する。Ｓ５０８にて、制御部１１は、住所入力処理を実行する。なお、住所特定処理および住所入力処理は、上述したとおりであるため、その詳細な説明は繰り返さない。
【０１１２】
Ｓ５１０にて、制御部１１は、カレンダーアイコンに対してタップ操作が行なわれたか否かを判定する。カレンダーアイコンに対してタップ操作が行なわれたと判定された場合（Ｓ５１０にてＹＥＳ）、処理はＳ５１２に移される。もしそうでない場合（Ｓ５１０にてＮＯ）、処理はＳ５２０に移される。
【０１１３】
Ｓ５１２にて、制御部１１は、カレンダーアプリを起動させて、画面にカレンダーを表示させる。Ｓ５１４にて、制御部１１は、日付の表示位置に対してタップ操作が行なわれたか否かを判定する。日付の表示位置に対してタップ操作が行なわれたと判定された場合（Ｓ５１４にてＹＥＳ）、処理はＳ５１６に移される。もしそうでない場合（Ｓ５１４にてＮＯ）、処理はＳ５１４に戻される。
【０１１４】
Ｓ５１６にて、制御部１１は、日付特定処理を実行する。具体的には、制御部１１は、タップ位置から日付を特定する。Ｓ５１８にて、制御部１１は、日付情報入力処理を実行する。日付情報入力処理については上述したとおりであるため、その詳細な説明は繰り返さない。
【０１１５】
Ｓ５２０にて、制御部１１は、時計アイコンに対してタップ操作が行なわれたか否かを判定する。時計アイコンに対してタップ操作が行なわれたと判定された場合（Ｓ５２０にてＹＥＳ）、処理はＳ５２２に移される。もしそうでない場合（Ｓ５２０にてＮＯ）、処理はＳ５３０に移される。
【０１１６】
Ｓ５２２にて、制御部１１は、設定画面表示処理を実行する。設定画面表示処理については、上述したとおりであるため、その詳細な説明は繰り返さない。
【０１１７】
Ｓ５２４にて、制御部１１は、時刻の入力が完了したか否かを判定する。時刻の入力が完了したと判定された場合（Ｓ５２４にてＹＥＳ）、処理はＳ５２６に移される。もしそうでない場合（Ｓ５２４にてＮＯ）、処理はＳ５２４に戻される。
【０１１８】
Ｓ５２６にて、制御部１１は、入力時刻特定処理を実行する。Ｓ５２８にて、制御部１１は、時刻入力処理を実行する。入力時刻特定処理および時刻入力処理については上述したとおりであるため、その詳細な説明は繰り返さない。
【０１１９】
Ｓ５３０にて、制御部１１は、カメラアイコンに対してタップ操作が行なわれたか否かを判定する。カメラアイコンに対してタップ操作が行なわれたと判定された場合（Ｓ５３０にてＹＥＳ）、処理はＳ５３２に移される。もしそうでない場合（Ｓ５３０にてＮＯ）、処理はＳ５０２に戻される。
【０１２０】
Ｓ５３２にて、制御部１１は、カメラ起動処理を実行する。具体的には、制御部１１は、カメラアプリを起動して、撮影可能な状態になるようにカメラ７を制御する。
【０１２１】
Ｓ５３４にて、制御部１１は、カメラアプリが終了したか否かを判定する。制御部１１は、たとえば、ユーザのカメラアプリを終了させる操作が行なわれた場合に、カメラアプリが終了したと判定する。カメラアプリが終了したと判定された場合（Ｓ５３４にてＹＥＳ）、処理はＳ５３６に移される。もしそうでない場合（Ｓ５３４にてＮＯ）、処理はＳ５３４に戻される。
【０１２２】
Ｓ５３６にて、制御部１１は、画像添付処理を実行する。具体的には、制御部１１は、カメラ起動処理後に撮影した画像がある場合には、撮影した画像を作成中の送信メールの添付ファイルとして設定する。
【０１２３】
以上のようなフローチャートに示される制御処理に基づく制御部１１の動作について図１４〜図１７を用いて説明する。
【０１２４】
たとえば、メール入力モード時に（Ｓ５００にてＹＥＳ）、ユーザが画面上部をフリック操作するなどして通知領域が表示状態になる場合を想定する（Ｓ５０２にてＹＥＳ）。
【０１２５】
このような状況下で、図１４（Ａ）に示すように、時計アイコンに対してタップ操作が行なわれた場合（Ｓ５０４にてＮＯ、Ｓ５１０にてＮＯ、Ｓ５２０にてＹＥＳ）、設定画面表示処理が実行される（Ｓ５２０）。そのため、図１４（Ｂ）に示すように時刻設定画像が表示される。ユーザが時刻として「１０時３０分」を選択して「ＯＫ」の文字列を含む画像に対してタップ操作を行なった場合には、図１４（Ｃ）に示すように、「１０時３０分」が文字情報として編集表示領域４Ｂに表示される。
【０１２６】
あるいは、上述した状況下で、図１５（Ａ）に示すように、カメラアイコンに対してタップ操作が行なわれた場合（Ｓ５０４にてＮＯ、Ｓ５１０にてＮＯ、Ｓ５２０にてＮＯ、Ｓ５３０にてＹＥＳ）、カメラ起動処理が実行される（Ｓ５３０）。そのため、図１５（Ｂ）に示すように、カメラアプリが起動する。ユーザがカメラアプリを用いた撮影後にカメラアプリを終了させると（Ｓ５３２にてＹＥＳ）、画像添付処理が実行される（Ｓ５３４）。そのため、図１５（Ｃ）に示すように、入力中の送信メールに撮影した画像が添付ファイルとして設定される。
【０１２７】
あるいは、上述した状況下で、図１６（Ａ）に示すように、ＧＰＳアイコンに対してタップ操作が行なわれた場合（Ｓ５０４にてＹＥＳ）、住所特定処理と住所入力処理とが実行される（Ｓ５０６、Ｓ５０８）。そのため、図１６（Ｂ）に示すように、現在地の住所が所定の形式で文字情報として編集表示領域４Ｂに表示される。
【０１２８】
あるいは、上述した状況下で、図１７（Ａ）に示すように、カレンダーアイコンに対してタップ操作が行なわれた場合（Ｓ５０４にてＮＯ、Ｓ５１０にてＹＥＳ）、カレンダー表示処理が実行される（Ｓ５１２）。図１７（Ｂ）に示すように、ユーザにより日付の表示位置に対してタップ操作が行なわれた場合（Ｓ５１４にてＹＥＳ）、日付特定処理と日付情報入力処理とが実行される（Ｓ５１６、Ｓ５１８）・そのため、図１７（Ｃ）に示すように、特定された日付「１月１８日（土）」が文字情報として編集表示領域４Ｂに表示される。
【０１２９】
このようにしても、操作キー表示領域４Ａへのタッチ操作によって情報を文字情報として編集表示領域４Ｂに表示させることに比較して簡易な操作により文字列を入力することができる。
【０１３０】
なお、本実施の形態においては、メール入力モード時における文字情報の入力方法について説明したが、メールアプリ以外のアプリケーション（たとえば、テキストエディタ等）でも同様の入力方法を用いて文字情報を入力可能としてもよい。
【０１３１】
さらに、他の変形例について以下に説明する。本実施の形態においては、図７および図８に示したように、メール入力モード時に、第１通知領域４Ｃの検出状態表示領域に対してユーザがタップ操作を行なうと、現在地の住所が地図アプリとのリンク情報含めた状態で、編集表示領域４Ｂに文字情報として表示されるものとして説明したが、特にこれに限定されるものではない。たとえば、メール入力モード時に、第１通知領域４Ｃの検出状態表示領域に対してユーザがタップ操作を行なうと、現在地に関連する地図画像をメール本文に貼付される画像として編集表示領域４Ｂに表示させるようにしてもよいし、当該地図画像を含むデータが添付ファイルとして設定されるようにしてもよい。現在地に関連する地図画像とは、たとえば、現在地から所定の距離だけ離れた範囲内の地図と、地図上における現在地が特定可能な図形（たとえば、矢印やマーク）とを含む画像であってもよいし、周辺の地図のみを含む画像であってもよい。
【０１３２】
また、本実施の形態においては、メール入力モード時に、第１通知領域４Ｃや第２通知領域４Ｄの特定の領域に対してタップ操作を行なうと、特定の領域に対応した文字情報が編集表示領域４Ｂに表示されるものとして説明したが、特に第１通知領域４Ｃおよび第２通知領域４Ｄと異なる表示領域に対してタップ操作を行なうと、タッチ位置に応じた文字情報を編集表示領域４Ｂに表示させるようにしてもよい。
【０１３３】
第１通知領域４Ｃおよび第２通知領域４Ｄと異なる表示領域とは、たとえば、メール入力モード時においてユーザが所定の操作（たとえば、ホームボタンを押下する操作や画面内に表示されるホームボタン画像に対するタップ操作）を行なうことにより表示されるホーム画面上に表示される１つ以上のガジェットの表示領域である。たとえば、ユーザがメール入力モード時に所定の操作によりホーム画面に切り替えられた場合であって、かつ、ホーム画面上に電車の時刻表を表示するガジェットが起動している場合に、ユーザが時刻表が表示される表示領域に対してタップ操作を行なうと、ガジェットの表示領域の情報（（たとえば、時刻表の情報）を、編集表示領域４Ｂに表示される文字情報として、編集表示領域４Ｂに表示される画像情報として、あるいは、添付ファイルとして作成中の送信メールに追加するようにしてもよい。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１  携帯端末、２  キャビネット、３  ディスプレイ、４  タッチパネル、４Ａ  操作キー表示領域、４Ｂ  編集表示領域、４Ｃ  第１通知領域、４Ｄ  第２通知領域、５  マイクロフォン、５ａ  マイク孔、６  通話スピーカ、６ａ  出力孔、７  カメラ、１１  制御部、１２  記憶部、１３  ＧＰＳ信号検出装置、１７  音声処理部、１８  キー入力部、１９  通信部。
【図１】
2015185146.tif 000003
【図２】
2015185146.tif 000004
【図３】
2015185146.tif 000005
【図４】
2015185146.tif 000006
【図５】
2015185146.tif 000007
【図６】
2015185146.tif 000008
【図７】
2015185146.tif 000009
【図８】
2015185146.tif 000010
【図９】
2015185146.tif 000011
【図１０】
2015185146.tif 000012
【図１１】
2015185146.tif 000013
【図１２】
2015185146.tif 000014
【図１３】
2015185146.tif 000015
【図１４】
2015185146.tif 000016
【図１５】
2015185146.tif 000017
【図１６】
2015185146.tif 000018
【図１７】
2015185146.tif 000019